(57)【要約】【課題】  排紙トレイにＣＤＲ等の円形記録媒体を装着できるようにし、該排紙トレイをプリンタ内に挿入しＣＤＲ印刷を可能にする。【解決手段】  本発明において補助トレイ（１）１にCDR等の円形記録媒体２１（以下「ＣＤＲ」と呼ぶ場合もある。）を搭載する凹座を形成し、補助トレイ（２）２と回転自在に連結せしめ、かつ、補助トレイ（１）はトレイカバー４の裏面に摺動自在に取付けた。また、ベーストレイ３の底面には補助トレイ（１）１が排紙トレイユニット内よりプリンタ内部に移動するための開口部を設けた。【選択図】  図１
2007118434.tif 000002
【特許請求の範囲】
【請求項１】
プリンタより排出されたシートを順次積載する排出トレイであって、複数の補助トレイをベーストレイ内部に収納可能な排紙トレイユニットを有する記録装置において、第１の補助トレイに円形記録媒体を装着する凹座を設けた排紙トレイを有することを特徴とする記録装置。
【請求項２】
前記排紙トレイユニットのうち、ベーストレイ底部に前記第１の補助トレイがプリンタ内に進入するための開口部が形成されていることを特徴とする請求項１に記載の記録装置。
【請求項３】
円形記録媒体印刷位置に前記ベーストレイが移動したとき、前記開口部がプリンタの排紙経路とほぼ同等の高さに形成せしめたことを特徴とする請求項１〜請求項２に記載の記録装置。
【請求項４】
補助トレイ（２）の外形が補助トレイ（１）に設けられた凹座に合致することを特徴とする請求項１〜請求項３に記載の記録装置。
【発明の詳細な説明】
【技術分野】
【０００１】
本発明は、プリンタ、複写機、ワープロ、パーソナルコンピュータ、ファクシミリ等の記録装置に関し、種々の記録媒体に対応可能な記録装置に関するものである。さらに詳しくは、プリンタより順次排出される記録媒体を積載するための排紙トレイに関するものである。
【背景技術】
【０００２】
従来この種の装置は以下のような構成をとっていた。
【０００３】
図１８は従来の記録装置の斜視図である。排紙トレイユニットより補助トレイ及び給紙トレイを引出し、かつＡＳＦカバーを回転させその内部より給紙トレイを引出した状態を示す図であり、すなわち、記録紙印刷を開始する状態を示す図である。
【０００４】
記録装置におけるプリンタの外殻をなす本体は、上ケース６と、下ケース７と、アクセスカバー８にアクセスウイドウ３１を組み込むことにより構成されるアクセスカバーユニット（以下、「アクセスカバー」という場合もある）と、トレイベース２７、補助トレイ（１）２４、補助トレイ（２）２５、補助トレイ（３）２６及びトレイカバー２８より構成される排紙トレイユニット（以下「排紙トレイ」という場合もある）と、特にデザイン要素部品としてのサイドカバー（Ｌ）９及びサイドカバー（Ｒ）５と、自動給紙装置２０（以下「ASF」という場合もある）を覆うＡＳＦカバー１１の外装部材と、その外装部材内に収納されたプリンタユニット１８（以下、「プリンタ」という場合もある）とから構成される。
【０００５】
下ケース７は本体の下部を、上ケース６は本体の略全体部をそれぞれ形成しており、両ケースの組み合わせによって内部にプリンタ１８を収納する収納空間を有する中空構造をなし、その本体の上面及び前面部にはそれぞれ開口部が形成されている。
【０００６】
さらに、前記トレイベース３にはトレイシャフト２８（図１９参照）が横断的に回転自在に保持されており、さらにトレイシャフト２８は後述する下ケース２にネジ止めされたギヤボックス（Ｌ）３３及びギヤボックス（Ｒ）３４に上下移動可能かつ回転自在に保持され、その回転移動によって前面部に形成される前記開口部を開閉できる構造になっている。また、トレイカバー３２の裏面には補助トレイ（１）２４、補助トレイ（２）２５及び補助トレイ（３）２６が摺動自在に格納される。該トレイカバー３２を固定爪（不図示）によりトレイベース２７に保持固定することにより、排紙トレイユニットを形成する。
【０００７】
このようにして、記録動作を実行させる際にトレイベース２７を本体の前面側へと回転させて開口部を開け、さらには排紙トレイユニットより補助トレイ（１） ２４、補助トレイ（２）２５及び補助トレイ（３）２６を引出し、ここから用紙が排出可能となり、排出された各用紙は引出された排紙トレイ上に順次積載されていく。
【０００８】
また、排紙トレイユニットは３枚のトレイ（補助トレイ（１）２４、補助トレイ（２）２５、補助トレイ（３）２６）がお互いに摺動自在に組込まれて構成されており、必要に応じて各トレイを手前に引出すことにより、用紙の支持面積を３段階に拡大、縮小することが可能になっている。
【０００９】
アクセスカバー８はその一端部が上ケース６に回転自在に保持され、本体の上面に形成される開口部を開閉する構成になっており、このアクセスカバー８を開くことによって本体内部に収納されている記録ヘッドカートリッジ４１あるいはインクタンク４０等の交換が可能となる。また、アクセスウインドウ３１はアクセスカバー８に複数の固定爪で固定される。
【００１０】
なお、ここでは特に図示しないが、アクセスカバーを開閉させると、その裏面に形成された突起がカバー開閉レバーを回転移動させる構成になっており、そのレバーがマイクロスイッチを押圧することにより、アクセスカバーの開閉状態を検出できる構成になっている。
【００１１】
ＡＳＦカバー１１の裏面には給紙トレイ（１）１６が回転自在に格納され、さらに給紙トレイ（２）１７が給紙トレイ（１）１６に摺動自在に格納される。
【００１２】
オペレータは記録紙に印刷する際、各給紙トレイを回転し引出すことによって記録紙を自動給紙装置２０によって円滑にプリンタ１８の所定の位置まで搬送することができる。
【００１３】
また、本体の前面右側には、電源キー１２及びレジュームキー１３が押下可能に設けられていると共に、ＬＥＤ１４が設けられており、電源キー１２を押下すると、ＬＥＤ１４が点灯し記録可能であることをオペレータに知らせるものとなっている。また、ＬＥＤ１４は点滅の仕方や色を変化させ、ブザー（不図示）を鳴らすことにより、プリンタの動作状態やトラブルなどをオペレータに知らせる等種々の表示機能を有する。なお、トラブル等が解決した場合には、レジュームキー１３を押下することによって記録が再開されるようになっている。
【００１４】
さらに、本体の前面右側にはカメラダイレクトコネクタ１５が設けられており、デジタルカメラに接続したケーブルを該カメラダイレクトコネクタ１５に差し込めば、パソコン等を介さず、デジタルカメラを操作することにより、デジタルカメラから信号が伝送され記録装置で写真画像等を印刷することができる。
【００１５】
記録装置を使用しないは、排紙トレイユニット及びＡＳＦカバー１１を回転せしめれば、それぞれの開口部が塞がれ埃、塵及び異物の本体への侵入を防ぐことができる。
【００１６】
図２１〜図２３は円形記録媒体表面に印刷する際の記録装置の斜視図である。
【００１７】
本体前面に装着された操作レバー５を前方に回転させると、後述するリフト機構によりトレイベース２７が回転しながら上昇し、排紙トレイユニット内部に格納されているトレイガイド（Ｒ）２９がトレイカバー３２の上面に露呈する。これとトレイカバー３２に常時露呈しているトレイガイド（Ｌ）３２ａによってＣＤＲトレイ３０を本体に挿入するとき幅方向の位置の規制をする。ＣＤＲトレイ３０上面には、円形記録媒体２１を保持するための凹座形状が設けられる。なお、操作レバー５は背後から引張りばね等で付勢されているので、オペレータの手から離れると元の位置に戻る。オペレータは、上述トレイガイド（Ｌ）３２ａ及びトレイガイド（Ｒ）２９の間にＣＤＲトレイ３０を挿入し、内部に押入するとプリンタユニットがＣＤＲトレイ３０を引き込みＣＤＲ２１に自動印刷する（図１９）ＣＤＲ印刷が終了すると、オペレータは排紙トレイユニットを回転させ、さらに排紙トレイベース１０を下方に移動させ元の位置に戻す。
【００１８】
なお、通常記録紙に印字するときは操作レバー５を使用せず、オペレータは排紙トレイユニットの上部を持ち手前側に回転させるだけでよい。
【００１９】
図１９は前記拍車ベース３７及び排紙トレイユニットを上昇させるためのリフト機構を説明する斜視図である。
【００２０】
トレイベース２７の側面には貫通穴が形成され、該貫通穴よりトレイシャフト２８が左右側面を突き抜けて挿入される。トレイシャフト２８の左右端には伝達ギヤが取り付けられており、該伝達ギヤはギヤボックス（Ｌ）３３及びギヤボックス（Ｒ）３４に一体形成されたラックに係合する。ギヤボックス（Ｌ）３３及びギヤボックス（Ｒ）３４は下ケース７にしっかりとネジで固定される。
【００２１】
一方、ギヤボックス（Ｌ）３３には扇形の伝達ギヤ（１）３５が回転自在に取り付けられ、腕の部分がトレイシャフト２８の軸に挿入される。ギヤ部分が拍車ベースを上下移動させる伝達ギヤ（２）３６に係合する。
【００２２】
操作レバー５はギヤボックス（Ｌ）３３の下部に設けられた軸に回転自在に取り付けられる。また、図１９に示すように操作レバー５の背面にはカム部５ａが形成され、トレイシャフト２８の左端に当接する。操作レバー５を手前側に回転せしめると、カム部５ａが上昇しトレイシャフト２８を上昇せしめるのでトレイベース２７もそれにつれて上昇する。また、トレイシャフト２８が上昇するにつれて、伝達ギヤ（１）３５のギヤ部が回転するので、伝達ギヤ（２）３６を回転させ拍車ベース３７を上昇させる。操作レバー５を所定の位置まで回転させるとカム部５ａの直線部にトレイシャフト２８が当接し、トレイシャフト２８はその位置で停止し保持される。すなわち、操作レバー５のカム部５ａが最高点に達したときがＣＤＲ印刷ポジションとなる。排紙トレイユニットを元の位置に戻すには、前述したようにオペレータが排紙トレイユニットの上部を持ち回転させながら下降させればよい。
【００２３】
従来例としては、例えば特許文献１と特許文献２をあげることが出来る。
【特許文献１】特開２００３−３２０７１０号公報
【特許文献２】特開２００３−３３８１６３号公報
【発明の開示】
【発明が解決しようとする課題】
【００２４】
しかしながら、上記従来例においては以下に示す問題点があった。
【００２５】
（１）CDRトレイ３０を使用しないときなど、保管場所を確保しなければならない。
【００２６】
（２）CDRトレイ３０は厚みが薄いので破損しないように扱う必要があった。
【００２７】
（３）CDRトレイの保管場所を忘れたり、紛失することがしばしばあった。
【課題を解決するための手段】
【００２８】
上記問題点を解決するため、本発明において補助トレイ（１）１にCDR等の円形記録媒体２１（以下「ＣＤＲ」と呼ぶ場合もある。）を搭載する凹座を形成し、補助トレイ（２）２と回転自在に連結せしめ、かつ、補助トレイ（１）はトレイカバー４の裏面に摺動自在に取付けた。また、ベーストレイ３の底面には補助トレイ（１）１が排紙トレイユニット内よりプリンタ内部に移動するための開口部を設けた。
【００２９】
上記構成により、ＣＤＲ２１に印字を行う場合、排紙トレイユニット内に格納された補助トレイ（１）１を引出し、所定の位置に円形記録媒体を装着する。その後、補助トレイ（２）２の先端を押込んでいき補助トレイ（１）１をプリンタ１８のＬＦローラ３９とピンチローラ４２の隙間に突き立てれば、あとはプリンタ１８が補助トレイ（１）１を印字位置まで引き込み、ＣＤＲ２１の表面に印刷を行う。
【００３０】
一方、CDR２１への印刷が終了すると、プリンタ１８が補助トレイ（１）１を排出し、ＬＦローラ３９により補助トレイ（２）２の手掛かり２ａがトレイカバー４より露呈するまで補助トレイ（１）１を排出搬送する。
【発明の効果】
【００３１】
本発明によれば、
（１）ＣＤＲ印刷を行わない場合は、ＣＤＲを別に用意する必要がないので（排紙トレイユニット内に格納できるので）紛失や破損の恐れがない。
【００３２】
（２）排紙トレイを交換せずに、記録紙の印刷も行うことができる。
【００３３】
（３）補助トレイ（２）が折りたたんで補助トレイ（１）の凹座に入り込むので、凹座に埃、ごみ等が付着しない。
【発明を実施するための最良の形態】
【００３４】
（実施例１）
図１は本発明を実施した記録装置の斜視図である。同図において１は補助トレイ（１）、２は補助トレイ（２）、３はトレイベース、４はトレイカバー、５は操作レバー、６は上ケース、７は下ケース、８はアクセスカバー、９はサイドカバー（L）、１０はサイドカバー（R）、１１はＡＳＦカバー、１２は電源キー、１３はレジュームキー、１４はＬＥＤ、１５はカメラダイレクトコネクタ、３１はアクセウウインドウである。この場合はCDR２１に印刷する際の記録装置の斜視図である。
【００３５】
前述したように、操作レバー５を手前側に倒すと、前述したリフト機構により排紙トレイユニットは上昇しながら回動し（図２０参照）、水平状態で保持される。（図１２参照）
図２は記録紙に印刷する際の記録装置を示す斜視図である。前述したように、オペレータは排紙トレイユニットを回動せしめるのみでよい。また、ASFカバー１１を回転させ、必要に応じて内部より給紙トレイ（１）１６を回転させ、給紙トレイ（２）１７を引出せばよい。
【００３６】
図３は補助トレイ（１）１の斜視図である。
【００３７】
略中央部にCDR２１を搭載する凹座１ａが形成される。手前両側には補助トレイ（２）２の回転軸がかん合する軸受け１ｄ及び１ｃが形成される。また、中央部には補助トレイ（２）２を所定の角度で保持するためのストッパー１ｄが形成される。
【００３８】
一方、奥側左右にはトレイカバー４の裏面に形成された摺動リブ４ａ及び４ｂ（図８）それぞれに係合するリブ１ｅ及び１ｆが形成される。リブ１ｅ及び１ｆには爪が形成されており、トレイカバー４の摺動リブ４ａ及び４ｂに形成された溝に係合し、補助トレイ（１）１を引出したとき、あるいは収納するときなど所定の位置で保持することができる。
【００３９】
図４は補助トレイ（２）２の斜視図である。
【００４０】
手前側中央部にはオペレータが補助トレイ（２）２を引出したり、押込むときに指を掛ける手掛かり２ｄが形成される。奥側左右には前述した補助トレイ（１）１の軸受け１ｄ及び１ｃにかん合する回転軸２ｂ及び２ｃが形成される。
【００４１】
図５は補助トレイ（１）と補助トレイ（２）を連結したときの斜視図である。
【００４２】
図５に示すように補助トレイ（１）１及び補助トレイ（２）２はお互いに回転自在に保持される。図６は補助トレイ（２）を折りたたんだときの斜視図である。
【００４３】
図７はトレイベース３の斜視図である。前述したようにトレイシャフト２８が回転自在にトレイベース３を横断的に突き抜ける。また、底部には補助トレイ（１）が出入りするための開口部３ａが形成される。
【００４４】
図８はトレイカバーの斜視図であり、この場合裏面より見たときの斜視図である。
【００４５】
左右には前述した補助トレイ（１）１のリブ１ｅ及び１ｆが摺動するための摺動リブ４ａ及び４ｂが形成される。また左右には、トレイベース３の穴３ｃ〜３ｆに係合するための爪４ｃ〜４ｆが形成する。トレイベース３とトレイカバー４が係合固定することにより、排紙トレイユニットの外殻をなし、その内部に補助トレイ（１）１及び補助トレイ（２）２が格納され、排紙トレイユニットを形成する。
【００４６】
図９は本発明を実施した記録装置のある位置での縦断面図である。
【００４７】
この場合、記録装置を使用しない場合等、排紙トレイユニットを本体に格納したときのものである。図９が示すように、排紙トレイユニットを格納した場合でも（立てた場合でも）補助トレイ（２）１の後端部がトレイベース３の内壁に突当たり、トレイベース３の開口部３ａより補助トレイ（１）１が不用意に排紙トレイユニット外に脱落することはない。
【００４８】
図１０及び図１１は本発明を実施した記録装置の斜視図であり、上ケース６を取り除いてCDR印刷する際、補助トレイ（１）１及び補助トレイ（２）２の搬送状態をわかりやすく示すものである。
【００４９】
CDR２１を補助トレイ（１）１の凹座１ａに装着し、排紙トレイユニットより露呈した補助トレイ（２）２の端部を押し込むと、補助トレイ（１）１はトレイシャフト２８の下方を通過し、さらに前述したリフト機構により拍車ベース３７と排紙ローラ３８の通路が広がるので、そこを通過しLFローラ３９とピンチローラ４２の間（以下「ニップ」と呼ぶ）に突当たる。するとプリンタ１８がLFローラを駆動させ、所定の位置まで補助トレイ（１）１を引込む。その後ＬＦローラ３９の駆動により補助トレイ（１）１を搬送せしめ、パソコン等から送信されるデータに基づいてCDR21の表面に印字を開始する。
【００５０】
図１２はＣＤＲ印刷時における、プリンタ１８の排紙位置と排紙トレイユニットの高さ関係を示す右側面の模式図である。
【００５１】
図１２に示すとおり、排紙トレイユニットはリフト機構により、補助トレイ（１）１がプリンタ１８の排紙位置（高さ）と一致するまで回転しながら移動し、排紙経路と水平になるところで保持される。
【００５２】
図１３は記録紙印刷における、プリンタ１８の排紙位置と排紙トレイユニットの高さ関係を示す右側面の模式図である。
【００５３】
排紙トレイユニットは回転し所定の角度で保持するのみで、上方へは移動しない。
【００５４】
（実施例２）
図１４及び図１５は第２の実施形態における記録装置の斜視図であり、同図において２２は補助トレイ（１）、２３は補助トレイ（２）である。また、図１６は補助トレイ（１）２２と補助トレイ（２）２３を連結したときの斜視図であり、この場合補助トレイ（２）２３を開いたときの図である。さらに、図１７は補助トレイ（２）を閉じたときの斜視図である。
【００５５】
補助トレイ（１）２２の先端中央部には回転軸受２２ａ及び２２ｂが形成される。一方、補助トレイ（２）２３の一端には回転軸２３ａ及び２３ｂが形成される。
【００５６】
上記構成において、補助トレイ（２）２３の回転軸２３ａ及び２３ｂが補助トレイ（１）２２の回転軸受２２ａ及び２２ｂにかん合され、補助トレイ（２）２３が補助トレイ（１）に対して回転自在に保持される。補助トレイ（１）２２の後部には爪が形成され、上記第１の実施形態と同様の構成でトレイカバー４に摺動自在に取付けられ、かつ、トレイカバー４は爪４ｃ〜４ｆによりトレイベース３に係合し箱形状を形成し、補助トレイ（１）２２及び補助トレイ（２）２３をその中に格納する。なお、CDR印刷及び記録紙印刷の方法は上記第１の実施形態で説明した場合と同様の手段で行う。
【００５７】
補助トレイ（２）２３の外形は円形を呈しており、その中心部には円形穴２３ａを設ける。補助トレイ（２）２３の外形は補助トレイ（１）２２の凹座２２ａとほぼ同じ大きさで形成されるので、補助トレイ（２）２３を折りたたんだ際、凹座２２ａに挿入される。
【００５８】
ところで、補助トレイ（１）２２の中央部には爪２２d及び２２eが設けられる。これはCDR印刷するために、CDR２１を凹座２２ａに装着した際、CDR２１の中央の穴に係合してしっかりとCDR２１を補助トレイ（１）２２に固定するためのものである。また、第１の実施例における補助トレイ（１）１についても同様の機能を果たす。
【００５９】
前述したように、補助トレイ（２）２３の中央には円形穴が設けられているので、補助トレイ（２）２３を折りたたんだ際、補助トレイ（１）２２の爪２２ｄ及び２２ｅが円形穴に係合して、ガタついたり、不用意に開いてしまうのを防止することができる。
【図面の簡単な説明】
【００６０】
【図１】本発明を実施した記録装置の斜視図で、CDR印刷する状態を示す図である。
【図２】本発明を実施した記録装置の斜視図で、普通印刷する状態を示す図である。
【図３】本発明を実施した補助トレイ（１）の斜視図である。
【図４】本発明を実施した補助トレイ（２）の斜視図である。
【図５】本発明を実施した補助トレイ（１）及び補助トレイ（２）を連結した時の斜視図であり、補助トレイ（２）を開いた状態を示す図である。
【図６】本発明を実施した補助トレイ（１）及び補助トレイ（２）を連結した時の斜視図であり、補助トレイ（２）を閉じた状態を示す図である。
【図７】本発明を実施したトレイベースの斜視図であり、トレイシャフトを組込んだ状態を示す図である。
【図８】本発明を実施したトレイカバーの裏面斜視図である。
【図９】本発明を実施した記録装置の断面図である。
【図１０】本発明を実施した記録装置の分解斜視図であり、補助トレイ（１）の搬送経路を示す図である。
【図１１】本発明を実施した記録装置の分解斜視図であり、補助トレイ（１）及び補助トレイ（２）の動きを示す図である。
【図１２】本発明を実施した記録装置の側面簡略模式図であり、CDR印刷時の排紙トレイユニットの位置（高さ）を示す図である。
【図１３】本発明を実施した記録装置の側面簡略模式図であり、普通印刷時の排紙トレイユニットの（位置）高さを示す図である。
【図１４】第2実施例における記録装置の斜視図であり、CDR印刷時の排紙トレイユニットの状態を示す図である。
【図１５】第2実施例における記録装置の斜視図であり、普通印刷時の排紙トレイユニットの状態を示す図である。
【図１６】第2実施例における補助トレイ（１）及び補助トレイ（２）を連結した時の斜視図であり、補助トレイ（２）を開いた状態を示す図である。
【図１７】第2実施例における補助トレイ（１）及び補助トレイ（２）を連結した時の斜視図であり、補助トレイ（２）を閉じた状態を示す図である。
【図１８】従来の記録装置の斜視図であり、排紙トレイ、補助トレイ、ASFカバー及び給紙トレイを開いた状態を示す図である。
【図１９】リフト機構を説明する記録装置の分解斜視図である。
【図２０】記録装置の斜視図であり、操作レバーを回転させ、排紙トレイユニットを回転上昇させるときの図である。
【図２１】従来の記録装置の斜視図であり、CDR印刷時の排紙トレイユニットの状態を示す図である。
【図２２】従来の記録装置の斜視図であり、排紙トレイユニット上面にCDRトレイを設置した状態を示す図である。
【図２３】従来の記録装置の斜視図であり、CDRトレイをプリンタ内に進入させた状態を示す図である（CDR印刷開始）。
【符号の説明】
【００６１】
１  補助トレイ（１）
２  補助トレイ（２）
３  トレイベース
４  トレイカバー
５  操作レバー
６  上ケース
７  下ケース
８  アクセスカバー
９  サイドカバー（L）
10  サイドカバー（R）
11  ASFカバー
12  電源キー
13  レジュームキー
14  ＬＥＤ
15  カメラダイレクトコネクタ
16  給紙トレイ（１）
17  給紙トレイ（２）
18  プリンタ
19  キャリッジ
20  給紙装置（ASF）
21  円形記録媒体（CDR）
22  第2実施例における補助トレイ（１）
23  第2実施例における補助トレイ（２）
24  従来例における補助トレイ（１）
25  従来例における補助トレイ（２）
26  従来例における補助トレイ（３）
27  従来例におけるトレイベース
28  トレイシャフト
29  トレイガイド（R）
30  CDRトレイ
31  アクセスウインドウ
32  従来例におけるトレイカバー
33  ギヤホルダー（L）
34  ギヤホルダー（R）
35  伝達ギヤ（１）
36  伝達ギヤ（２）
37  拍車ベース
38  排紙ローラ
39  ＬＦローラ
40  インクタンク
41  記録ヘッドカートリッジ
42  ピンチローラ
【図１】
2007118434.tif 000003
【図２】
2007118434.tif 000004
【図３】
2007118434.tif 000005
【図４】
2007118434.tif 000006
【図５】
2007118434.tif 000007
【図６】
2007118434.tif 000008
【図７】
2007118434.tif 000009
【図８】
2007118434.tif 000010
【図９】
2007118434.tif 000011
【図１０】
2007118434.tif 000012
【図１１】
2007118434.tif 000013
【図１２】
2007118434.tif 000014
【図１３】
2007118434.tif 000015
【図１４】
2007118434.tif 000016
【図１５】
2007118434.tif 000017
【図１６】
2007118434.tif 000018
【図１７】
2007118434.tif 000019
【図１８】
2007118434.tif 000020
【図１９】
2007118434.tif 000021
【図２０】
2007118434.tif 000022
【図２１】
2007118434.tif 000023
【図２２】
2007118434.tif 000024
【図２３】
2007118434.tif 000025